(57)【要約】【課題】使用者が希望する食品を保存する比較的小容積の貯蔵ユニットを収納庫本体に複数設置するとともに、容易に本体内に組み込むことができるようにした冷蔵収納庫を提供する。【解決手段】冷媒圧縮機５、凝縮器６、絞り装置、冷却器７からなる冷凍サイクルを備えた断熱箱本体１と、この本体内の断熱空間１０を複数の貯蔵空間に区分して配置した貯蔵ユニット２５とからなり、各貯蔵ユニットを同一サイズとするとともに、各貯蔵ユニット個々に温度設定して、箱本体に対して着脱可能としたことを特徴とする。【選択図】  図２
2004162933.tif 000002
【特許請求の範囲】
【請求項１】
冷媒圧縮機、凝縮器、絞り装置、冷却器からなる冷凍サイクルを備えた断熱箱本体と、この本体内の断熱空間を複数の貯蔵空間に区分して配置した貯蔵ユニットとからなり、各貯蔵ユニットを同一サイズとするとともに、各貯蔵ユニット個々に温度設定して、箱本体に対して着脱可能としたことを特徴とする冷蔵収納庫。
【請求項２】
冷媒圧縮機、凝縮器、絞り装置、冷却器からなる冷凍サイクルを備えた箱本体と、この箱本体の内部空間を複数の貯蔵空間に区分して配置した外側に断熱層を有する貯蔵ユニットと、各貯蔵ユニットを同一サイズとするとともに、各貯蔵ユニット個々に温度設定し、箱本体に対して着脱自在としたことを特徴とする冷蔵収納庫。
【請求項３】
温度や湿度などの機能制御部品は各ユニットに一体に設置されていることを特徴とする請求項１または２記載の冷蔵収納庫。
【請求項４】
箱本体の上面高さを底面から７００〜１３００ｍｍの位置として、電子レンジやオーブントースターの設置場所としたことを特徴とする請求項１または２に記載の冷蔵収納庫。
【発明の詳細な説明】
【０００１】
【発明の属する技術分野】
本発明は、複数の貯蔵ユニットを備えた冷蔵収納庫に関する。
【０００２】
【従来の技術】
従来一般に、家庭における冷蔵庫は、飲食物を冷却して長期保存できるものとの意識が強く、魚肉類や野菜に限らず、食料品はすべて冷蔵庫に収納される傾向が強い。したがって近年のごとく冷蔵庫が大形化しても、冷蔵庫内は常に満杯状態であり、その結果、冷蔵庫に収納しきれない米やジャガイモなどが冷却貯蔵の対象から外れて、冷蔵庫外に放置されることになり、味が劣化するだけでなく、虫の発生やジャガイモからは芽が出るなどの問題があった。
【０００３】
また、近年は、冷凍食品や米など種々の専用貯蔵庫も販売されているが、いずれも個々のサイズが大きく、外形サイズ的には限界に近いにある冷蔵庫と合わせたスペースが大となって、狭い台所では新たな設置が困難な状況にある。
【０００４】
これに対して、穀類などの専用冷却貯蔵庫において、保冷室内を上下方向および左右方向に複数段に区分けし、この空間に箱状の収納ケースを収容位置させたものが提案されている。（例えば、特許文献１参照）
【０００５】
【特許文献１】
特開２００２−２１３８５４公報
【０００６】
【発明が解決しようとする課題】
しかしながら、特許文献１の構成は、玄米などの穀類を比較的小容量の箱状ケースに区分けして冷却保存する穀類の専用貯蔵庫であり、同時に複数の食品を収納し、個々に適正温度や湿度の雰囲気中で貯蔵するものではなかった。
【０００７】
本発明は上記事情を考慮してなされたもので、使用者が希望する食品を保存する比較的小容積の貯蔵ユニットを収納庫本体に複数設置するとともに、容易に本体内に組み込むことができるようにした冷蔵収納庫を提供するものである。
【０００８】
【課題を解決するための手段】
上記課題を解決するために、請求項１記載の冷蔵収納庫の発明は、冷媒圧縮機、凝縮器、絞り装置、冷却器からなる冷凍サイクルを備えた断熱箱本体と、この本体内の断熱空間を複数の貯蔵空間に区分して配置した貯蔵ユニットとからなり、各貯蔵ユニットを同一サイズとするとともに、各貯蔵ユニット個々に温度設定して、箱本体に対して着脱可能としたことを特徴とするものであり、また請求項２記載の発明は、冷媒圧縮機、凝縮器、絞り装置、冷却器からなる冷凍サイクルを備えた箱本体と、この箱本体の内部空間を複数の貯蔵空間に区分して配置した外側に断熱層を有する貯蔵ユニットと、各貯蔵ユニットを同一サイズとするとともに、各貯蔵ユニット個々に温度設定し、箱本体に対して着脱自在としたことを特徴とするものである。
【０００９】
これらの構成により、使用者が保存したい複数の食品を適当量貯蔵できる冷蔵収納庫を大きなスペースを占有することなく合理的に設置できるとともに、複数に亙る保存条件であっても同一の貯蔵ユニットサイズにより箱本体に対する設置や組み替え着脱を容易におこなうことができる。
【００１０】
請求項３記載の発明は、温度や湿度などの機能制御部品は各ユニットに一体に設置されていることを特徴とするものであり、貯蔵ユニットを箱本体に設置するのみで、所望の条件のユニットを簡単に組み込むことができる。
【００１１】
請求項４記載の発明は、箱本体の上面高さを底面から７００〜１３００ｍｍの位置として、電子レンジやオーブントースターの設置場所としたことを特徴とするものであり、少ない設置スペースで複数の冷蔵ユニットを設置できるとともに、その上部も他の用品の設置スペースに活用することができる。
【００１２】
【発明の実施の形態】
以下、図面に基づき本発明の一実施形態について説明する。図１は、本発明に係る冷蔵収納庫の斜視図であり、図２は、その縦断面図である。
【００１３】
収納庫の外形を形成する外箱（２）と、この外箱の内側に所定厚さの断熱材層（３）を設けた断熱筐体からなる収納庫本体（１）の下部には、機械室（４）を設けて、断熱された内部貯蔵空間の冷却作用をおこなう冷媒圧縮機（５）や凝縮器（６）および貯蔵空間内部に配置した冷却器（７）などからなる冷凍サイクルを配置しており、本体背面に設置した冷却器（７）で生成された冷気はファン（８）およびダクト（９）によって貯蔵空間（１０）内に導入され、空間内を循環してこれを冷却する。
【００１４】
貯蔵空間（１０）は、垂直方向の上下に亙る縦断熱仕切（１１）と水平方向の全幅に亙る横断熱仕切（１２）により、４個の断熱空間に区分されており、それぞれの断熱空間の幅、高さおよび奥行きはすべて同一寸法とし、同容積に形成する。
【００１５】
個々の断熱空間（１０）の背面には、それぞれ独立した冷気吹出口（１３）と吸込口（１４）を配置しており、冷却器（７）からの冷気はダクト（９）により、各冷気吹出口（１３）に均等に送風されるように設定されている。
【００１６】
しかして、個々の断熱空間（１０）の内面には、同一外形でほぼ同一の内容積を有するユニット内箱（１５）が配設されている。ユニット内箱（１５）は、合成樹脂製で射出成形などにより成形されており、前記外箱（２）の前面開口部縁および縦横断熱仕切（１１）（１２）の前面に係合する鍔部（１６）を開口周縁に形成し、背面には、前記冷気吹出口（１３）に対応する開口（１７）と吸込口（１４）に対応するスリット（１８）を設けるとともに、個々の断熱空間（１０）の内面に形成した特に図示しない位置決め成形やガイド部によって、所定位置に保持固定されているものである。
【００１７】
それぞれのユニット内箱（１５）の前面には各々専用の開閉扉（２０）を設けて開口を閉塞しており、扉（２０）の内側には、個々の食品を収納貯蔵する容器（２１）を設けている。前記各扉（２０）の内面側には、左側の側断面図である図３に示すように、奥方向に延びる左右一対の支持枠（２２）を取り付け、この支持枠間に前記収納容器（２１）を載置して保持することで、扉とともに庫外へ引き出し自在としている。
【００１８】
左右一対の支持枠（２２）は、上下端縁にＬ字状部（２２ａ）（２２ｂ）を形成しており、下端のＬ字状部（２２ｂ）の水平部をユニット内箱（１５）の前面開口部近傍の側壁に設けた滑車（２３）で受ける構成とすることで、支持枠（２２）を内箱内の両側壁に形成したレール（２４）に対して摺動自在としている。また、上端のＬ字状部（２２ａ）で容器（２１）の上部端縁に形成したフランジを支持している。
【００１９】
左右支持枠（２２）のそれぞれの後端外方には、左右のレール（２４）内を摺動するように図示しない滑車を固定しており、引き出し扉（２０）の内面と左右の支持枠（２２）で形成される枠内に載置することで、収納容器（２１）を安定して保持するようにしている。
【００２０】
前記ユニット内箱（１５）と引き出し扉（２０）および収納容器（２１）は、一体にユニット化されて貯蔵ユニット（２５）を構成し、貯蔵対象物に応じて設定仕様が異なった構成となっており、個々の仕様としては、例えば、高温野菜庫、乾物庫、計量米びつ、化粧品・薬品保管庫などに対応するものである。
【００２１】
そして、例えば、ジャガイモやタマネギなどを貯蔵する高温野菜庫（１０Ａ）の場合は、図４に示すように、引き出し扉（２０Ａ）と支持枠（２２Ａ）に保持された収納容器（２１Ａ）は、専用のバスケット形状にして下部には受け皿（２６）を配置しており、ユニット内箱（１５Ａ）の冷気吹出口（１３Ａ）には専用ダンパー（２７）を設けて冷気を室内に吹き出し、吸込口（１４Ａ）から冷却器（７）へ戻すように循環させ、室内温度が６〜７℃になるよう温度制御している。
【００２２】
また、図５に示す斜視図は、扉を回動式としてユニット内箱（１５Ｂ）内に、魚の干物や干椎茸、かんぴょうや切り干し大根などを収納する容器（２１Ｂ）を上下二段に亙って引き出し自在に設置した乾物庫（１０Ｂ）の例であり、前記高温野菜庫（１０Ａ）と同様にユニット内箱（１５Ｂ）の冷気吹出口に専用ダンパーを設け、室内温度を５〜１０℃に制御して冷気を循環させることで、収納容器（２１Ｂ）を設置した室内空気を除湿して乾燥させるものであり、ユニット内箱（１５Ｂ）の外表面には面状ヒーター（２８）を貼り付けて周囲温度が低い時期における室内温度の補償をおこない、さらに、特に図示しないが、冷気吹出口の近傍に活性炭などの脱臭装置を配置して、他の収納室への臭い移りを防止するようにしている。
【００２３】
計量米びつ（１０Ｃ）の場合は、図６に示すように、断熱された扉（２０Ｄ）の表面に、米の投入口（３０）とこれを閉塞する開閉蓋（３１）、計量操作部（３２）および計量取り出し口（３３）を設けるとともに、扉（２０Ｄ）の裏面には、扉と一体に米収納室（３４）を配置して、図示しない支持機構によりユニット内箱（１５Ｄ）内に保持し、米収納室（３４）の下部には計量部（３５）を設け、計量部の下方には取り出し口（３３）に臨む米受け皿（３６）を引き出し自在に配置することで、米の収納および計量取り出しがおこなえるように構成している。
【００２４】
このとき、ユニット内箱（１５Ｄ）の冷気吹出口（１３Ｄ）から導入する冷気により、米収納室（３４）内の温度を１２℃以下に保持することで、米の品質劣化や虫の発生を抑えることができる。
【００２５】
冷凍サイクルは、上記いずれかの収納室の温度が設定範囲外であれば、圧縮機（５）を駆動して冷却器（７）による冷却作用を継続するよう制御されており、各貯蔵空間（１０）は個々の構成およびダンパーの開閉制御により、個々の室内を所定の雰囲気に保持するとともに、各貯蔵ユニット（２５）の制御状態は、収納庫本体（１）上部のテーブル（３７）前面に配置した制御パネル（３８）に表示し、また設定制御するものである。
【００２６】
上記の場合、収納庫本体（１）の外形は、幅および奥行き寸法が各４５０〜６５０ｍｍ、高さは７００〜１３００ｍｍ程度としているため、図１のごとく、４室に区分したとしても各貯蔵室容量は２０〜３０リットルとなり、各食品の専用貯蔵庫としては充分な容量を確保できるものである。
【００２７】
また、高さ寸法を、既存の電子レンジ台などとほぼ同じ寸法としており、これと置き換えて収納庫の上部に電子レンジを載置することもできるため、狭い台所への設置も可能となる。
【００２８】
さらに、各収納室はユニット内箱（１５）、扉（２０）および収納容器（２１）とも貯蔵ユニット（２５）としてユニット化されており、さらに、各ユニット内箱（１５）は、同一外形状としたため、収納庫本体（１）内における貯蔵ユニット（２５）は任意の断熱空間（１０）の位置に配置できるものであり、顧客の要求や使い勝手に対しても、工場における生産が平準化され、あるいは使用者サイドでの適宜設置や配置交換が容易となるものである。
【００２９】
上記実施例においては、収納箱本体（１）の内面にあらかじめ断熱層（３）を形成し、その断熱空間（１０）の内部にユニット化された内箱（１５）や収納容器（２１）からなる貯蔵ユニット（２５）を設置するようにしたが、ユニット内箱（１５）の外周に一体に断熱層を設けたユニットを外箱（２）の内部に挿入して貯蔵ユニットを形成するようにしてもよい。
【００３０】
なお、専用貯蔵ユニットとしては、上記実施例に限るものではなく、醤油や味醂、料理酒などの調味料の保存庫や、化粧品あるいは薬品などの収納室としても活用でき、また、上記各収納室を形成するユニット内箱や収納容器は、合成樹脂成型品に限らず、必要、用途に応じて鋼板など適宜選択できるものである。
【００３１】
【発明の効果】
以上説明したように、本発明によれば、使用者が保存したい複数の食品を適当量貯蔵できる冷蔵収納庫を大きなスペースを占有することなく合理的に設置できるとともに、複数に亙る保存条件であっても同一の貯蔵ユニットサイズにより収納庫本体に対する設置や組み替え着脱を容易におこなうことができる。
【図面の簡単な説明】
【図１】本発明の一実施形態を示す冷蔵収納庫の全体斜視図である。
【図２】図１に示す冷蔵収納庫の縦断面図である。
【図３】図２の収納容器の支持部を正面からみた左側壁の断面図である。
【図４】貯蔵ユニットを高温野菜室とした場合の縦断面図である。
【図５】貯蔵ユニットを乾物庫とした場合の縦断面図である。
【図６】貯蔵ユニットを計量米びつとした場合の縦断面図である。
【符号の説明】
１…収納庫本体          ２…外箱            ３…断熱材層
４…機械室              ５…冷媒圧縮機      ７…冷却器
８…ファン              ９…ダクト          １０…貯蔵空間
１０Ａ…高温野菜庫        １０Ｂ…乾物庫        １０ｃ…計量米びつ
１１…縦断熱仕切          １２…横断熱仕切      １３…冷気吹出口
１４…吸込口              １５…ユニット内箱    １６…鍔部
１７…開口                １８…スリット        ２０…引き出し扉
２１…収納容器            ２２…支持枠          ２５…貯蔵ユニット
２６…受け皿              ２７…ダンパー        ２８…面状ヒーター
２９…脱臭装置            ３０…米投入口        ３２…計量操作部
３３…計量取り出し口      ３４…米収納室        ３６…米受け皿
３７…テーブル            ３８…制御パネル
【図１】
2004162933.tif 000003
【図２】
2004162933.tif 000004
【図３】
2004162933.tif 000005
【図４】
2004162933.tif 000006
【図５】
2004162933.tif 000007
【図６】
2004162933.tif 000008